(57)【特許請求の範囲】
【請求項１】
長四角形状に形成されるとともに一側面に草状体を立設されたシート部材を設け、このシート部材の草状体を立設された一側面には長手方向一端側にプレイヤーにより打たれるゴルフボールを設置する起点ゾーンを配設するとともにこの起点ゾーンから長手方向他端側に向い前記プレイヤーがゴルフボールを打ち込んで得点を競う複数の得点ゾーンを所定の間隔を設けて配設してプレイ面を設け、前記シート部材の長手方向他端側に前記シート部材の巻取り芯として機能するとともに前記プレイヤーによって打たれたゴルフボールの止め具として機能する筒部材を取付けて設け、この筒部材はゴルフクラブ及びゴルフボールを収納し得る収納空間を有し、前記シート部材を巻取ってゴルフクラブ及びゴルフボールを収納した筒部材を収納する収納箱を設け、この収納箱はスコアボードの記入用スタンドとして機能することを特徴とするゴルフゲーム機。
【発明の詳細な説明】
【０００１】
【産業上の利用分野】
この発明はゴルフゲーム機に係り、特に、簡単にゲーム機を設置し得て、運搬等の持ち運びを容易とし得て、設置場所の表面状態によりアンジュレーションを選択し得て、少人数から多人数まで共にプレイをし得て、集中力の養成に寄与し得るゴルフゲーム機に関する。
【０００２】
【従来の技術】
近時は、各種のゲーム機が発表されている。ゲーム機には、対戦プレイ型として例えば野球ゲーム機があり、個人プレイ型として例えばゴルフゲーム機等がある。
【０００３】
【発明が解決しようとする課題】
ところで、従来のゲーム機においては、ゲームのプレイに際して、箱等に収容されたゲーム機本体を取出し、床面やテーブル面に広げることにより、設置している。
【０００４】
ところが、従来のゲーム機を設置する場合には、水平な設置面を確保しなければならず、設置が面倒であるという不都合がある。また、従来の例えば野球ゲーム機の場合には、野球場の形状からして平面的にある大きさを必要とすることにより、運搬等の持ち運びが不便である不都合がある。
【０００５】
【課題を解決するための手段】
そこで、この発明は、長四角形状に形成されるとともに一側面に草状体を立設されたシート部材を設け、このシート部材の草状体を立設された一側面には長手方向一端側にプレイヤーにより打たれるゴルフボールを設置する起点ゾーンを配設するとともにこの起点ゾーンから長手方向他端側に向い前記プレイヤーがゴルフボールを打ち込んで得点を競う複数の得点ゾーンを所定の間隔を設けて配設してプレイ面を設け、前記シート部材の長手方向他端側に前記シート部材の巻取り芯として機能するとともに前記プレイヤーによって打たれたゴルフボールの止め具として機能する筒部材を取付けて設け、この筒部材はゴルフクラブ及びゴルフボールを収納し得る収納空間を有し、前記シート部材を巻取ってゴルフクラブ及びゴルフボールを収納した筒部材を収納する収納箱を設け、この収納箱はスコアボードの記入用スタンドとして機能することを特徴とする。
【０００６】
【作用】
この発明の構成によれば、ゴルフゲーム機は、長四角形状に形成されるとともに一側面に草状体を立設されたシート部材を筒部材に巻取り、この筒部材にゴルフクラブ及びゴルフボールを収納することにより、収納箱にコンパクトに収納することができ、また、シート部材を筒部材から巻出すことにより、容易にプレイ可能な状態に展開することができる。また、このゴルフゲーム機は、シート部材の草状体を立設された一側面に、ゲーム用の起点ゾーン及び得点ゾーンを配設したプレイ面を設けていることにより、設置場所の傾斜状態や凹凸状態等を利用してプレイ面に変化を生じさせることができる。さらに、このゴルフゲーム機は、プレイヤーの人数に制限がなく、１人以上の多人数やグループによりプレイすることができ、得点ゾーンへの打ち込みに気持ちを集中させることができる。
【０００７】
【実施例】
以下図面に基づいてこの発明の実施例を説明する。
【０００８】
図１〜図８は、この発明の実施例を示すものである。図１〜図３において、２はシート部材である。シート部材２は、図２に示す如く、柔軟性を有する素材により長四角形状に形成されるとともに一側面に草状体４を立設された、いわゆる人工芝やカーペット・ジュウタン等からなる。このシート部材２の草状体４を立設された一側面には、図１に示す如く、プレイ面６を設けている。
【０００９】
プレイ面６には、起点ゾーン８と得点ゾーン１０とを着色加工や織毛・染色等により配設している。起点ゾーン８は、プレイ面６の長手方向一端側に設けられ、プレイヤーによりゴルフクラブ１２によって打たれるゴルフボール１４（図４参照）を設置する。得点ゾーン１０は、この起点ゾーン８から長手方向他端側に向い所定の間隔を設けて複数設けられ、プレイヤーがゴルフクラブ１２によってゴルフボール１４を打ち込んで得点を競う。
【００１０】
なお、この実施例においては、４つの得点ゾーン１０−１〜１０−４を設け、各得点ゾーン１０−１〜１０−４内に夫々ラッキーゾーン１６−１〜１６−４を配設している。また、符号１８−１〜１８−５は、非得点ゾーンである。
【００１１】
前記シート部１２の長手方向他側端には、筒部材２０を取付けて設けている。筒部材２０は、このシート部材２の巻取り芯として機能するとともにプレイヤーによって打たれたゴルフボール１４の止め具として機能する。筒部材２０は、前記ゴルフクラブ１２及びゴルフボール１４を収納し得る直径Ｄ及び長さＨの収納空間２２を有している。
【００１２】
また、ゴルフクラブ１２及びゴルフボール１４を筒部材２０に収納し、この筒部材２０にシート部材２を巻取った状態において、図５・図６に示す如く、これらを収納する収納箱２４を設けている。収納箱２４は、図５に示す如く、略長四角筒体形状に形成され、運搬時の把手部２６を設けている。また、この収納箱２４は、図６に示す如く、スコアボード２８の記入用スタンドとしても機能する。
【００１３】
前記スコアボード２８は、図７・図８に示す如く、各側面に得点欄３０・３２を設けている。一側面の得点欄３０は、加点法のプレイ、例えば、４つのゴルフボール１４を夫々４つの得点ゾーン１０−１〜１０−４の各々に打ち込むプレイを１フレームとし、これを１０フレームまで繰り返して得点の大小を競うプレイに使用する。他側面の得点欄３２は、減点法のプレイ、例えば、４つのゴルフボール１４を夫々４つの得点ゾーン１０−１〜１０−４に打ち込むプレイを１フレームとし、１０フレームまで繰り返す間に早く持ち点を零にするプレイに使用する。なお、スコアボード２８は、収納箱２４に収納可能なように、フレキシブルな素材により形成する。
【００１４】
なお、ラッキーゾーン１６−１〜１６−４は、各得点ゾーン１０−１〜１０−４における得点を、例えば、２倍に加算させる。また、減点法のプレイにおいては、持ち点をオーバーする得点ゾーンにゴルフボールが入っても、持ち点からの減算を行わない。この場合は、持ち点と同じ得点ゾーンに、ゴルフボールを入れなければならない。
【００１５】
このように、このゴルフゲーム機は、柔軟性を有する素材により長四角形状に形成されるシート部材２の草状体４を立設された一側面に起点ゾーン８と得点ゾーン１０とを配設したプレイ面６を設け、プレイヤーによりゴルフクラブ１２によってゴルフボール１４を４つの得点ゾーン１０−１〜１０−４に夫々打ち込んで得点を競うものである。
【００１６】
前記シート部材２は、長手方向他側端に取付けた筒部材２０により巻取り・巻出しが可能である。また、この筒部材２０は、ゴルフボール１４の飛び出しを止めることができ、ゴルフクラブ１２及びゴルフボール１４を収納することができる。そして、ゴルフクラブ１２及びゴルフボール１４を収納した筒部材２０及び筒部材２０に巻取られたシート部材２は、収納箱２４に収納して把手部２６により運搬することができる。
【００１７】
次に、このゴルフゲーム機によるプレイを説明する。
【００１８】
ゲームをプレイする場合は、先ず、収納箱２４から筒部材２０に巻取られたシート部材２を取出し、また、筒部材２０からゴルフクラブ１２及びゴルフボール１４を取出す。筒部材２０に巻取られたシート部材２は、適宜の設置場所において巻出し、展開する。
【００１９】
加点法のゲームをプレイする場合は、スコアボード２８の一側面の得点欄３０を利用する。この場合には、４つのゴルフボール１４を夫々４つの得点ゾーン１０−１〜１０−４の各々に打ち込むプレイを１フレームとし、これを１０フレームまで繰り返して得点の大小を競う。
【００２０】
例えば、第１フレームにおいては、第１打を４点の得点ゾーン１０−４に打ち込み、第２打を３点の得点ゾーン１０−３に打ち込み、第３打を２点の得点ゾーン１０−２に打ち込み、第４打を１点の得点ゾーン１０−１に打ち込むように、プレイする。スコアボード２８の第１フレームには、第１打〜第４打の得点を加算して記入する。
【００２１】
この４打を１フレームとするプレイを、第１〜１０フレームまで繰り返し、スコアボード２８の各フレームに得点を記入する。第１〜１０フレームの得点の大なるプレイヤーの勝ちとする。なお、プレイに際しては、ラッキーゾーン１６−１〜１６−４にゴルフボール１４が入った場合に各得点ゾーン１０−１〜１０−４における得点を２倍に加算させ、また、ハンディ等を決め、コンペを行うことにより、一層プレイを楽しむことができる。
【００２２】
また、減点法のゲームをプレイする場合は、スコアボード２８の他側面の得点欄３２を利用する。この場合には、４つのゴルフボール１４を夫々４つの得点ゾーン１０−１〜１０−４の各々に打ち込むプレイを１フレームとし、これを１０フレームまで繰り返す間に早く持ち点を零にする。
【００２３】
先ず、各自の持ち点を例えば１００点に設定する。第１フレームにおいては、第１打を４点の得点ゾーン１０−４に打ち込み、第２打を３点の得点ゾーン１０−３に打ち込み、第３打を２点の得点ゾーン１０−２に打ち込み、第４打を１点の得点ゾーン１０−１に打ち込むように、プレイする。スコアボード２８の第１フレームには、第１打〜第４打の得点を持ち点から減算して記入する。
【００２４】
この４打を１フレームとするプレイをし、スコアボード２８のグラフ部に持ち点から減算した点を記入する。第１〜１０フレームまでに早く持ち点を零にしたプレイヤーの勝ちとする。なお、減点法のプレイにおいては、最終打により持ち点をオーバーする得点ゾーンにゴルフボールが入っても、持ち点からの減算を行わない。この場合は、持ち点と同じ得点ゾーンに、ゴルフボールを入れなければならない。
【００２５】
もちろん、減点法のプレイに際しても、ラッキーゾーン１６−１〜１６−４にゴルフボール１４が入った場合に各得点ゾーン１０−１〜１０−４における得点を２倍に加算させ、また、ハンディ等を決め、コンペを行うことにより、一層プレイを楽しむことができる。
【００２６】
ゲームを終了する場合は、筒部材２０にシート部材２を巻取り、また、筒部材２０にゴルフクラブ１２及びゴルフボール１４を収納する。筒部材２０に巻取られたシート部材２は、収納箱２４に容易に収納して把手部２６により運搬することができる。
【００２７】
このように、ゴルフゲーム機は、柔軟性を有する素材により形成されるシート部材２をこのシート部材２の長手方向他側端に取付けた筒部材２０に巻取り、この筒部材２０にゴルフクラブ１２及びゴルフボール１４を収納することにより、収納箱２４にコンパクトに収納することができ、また、シート部材２を筒部材２０から巻出すことにより、容易にプレイ可能な状態に展開することができる。このため、このゴルフゲーム機は、容易にゲームを設置することができ、運搬等の持ち運びを容易とすることができる。
【００２８】
また、このゴルフゲーム機は、柔軟性を有する素材により形成されるシート部材２の草状体４を立設された一側面に、ゲーム用の起点ゾーン８及び得点ゾーン１０を配設したプレイ面６を設けていることにより、設置場所の傾斜状態や凹凸状態等を利用してプレイ面６に変化を生じさせることができる。このため、このゴルフゲーム機は、設置場所の表面状態によりアンジュレーションを選択することができる。
【００２９】
さらに、このゴルフゲーム機は、プレイヤーの人数に制限がなく、１人以上の多人数やグループによりプレイすることができ、得点ゾーン１０への打ち込みに気持ちを集中させることができる。このため、このゴルフゲーム機は、少人数から多人数まで共にプレイをし得て、集中力の養成に寄与し得る。
【００３０】
【発明の効果】
このように、この発明によれば、ゴルフゲーム機は、シート部材を筒部材に巻取り、筒部材にゴルフクラブ及びゴルフボールを収納することにより、収納箱にコンパクトに収納することができ、また、シート部材を巻出すことにより、容易にプレイ可能な状態に展開することができる。このため、このゴルフゲーム機は、容易にゲーム機を設置することができ、運搬等の持ち運びを容易としすることができる。また、このゴルフゲーム機は、シート部材の草状体を立設された一側面に、ゲーム用の起点ゾーン及び得点ゾーンを配設したプレイ面を設けていることにより、設置場所の傾斜状態や凹凸状態等を利用してプレイ面に変化を生じさせることができる。このため、このゴルフゲーム機は、設置場所の表面状態によりアンジュレーションを選択することができる。さらに、このゴルフゲーム機は、プレイヤーの人数に制限がなく、１人以上の多人数やグループによりプレイすることができ、得点ゾーンへの打ち込みに気持ちを集中させることができる。このため、このゴルフゲーム機は、少人数から多人数まで共にプレイをし得て、集中力の養成に寄与し得る。
【図面の簡単な説明】
【図１】この発明の実施例を示すシート部材の展開状態の平面図である。
【図２】シート部材の一部を破断した拡大側面図である。
【図３】シート部材を筒部材に巻取った状態の斜視図である。
【図４】このゴルフゲーム機のプレイ時に使用するゴルフクラブ及びゴルフボールの説明図である。
【図５】収納箱の斜視図である。
【図６】収納箱のプレイ時の斜視図である。
【図７】スコアボードの一側面の平面図である。
【図８】スコアボードの他側面の平面図である。
【符号の説明】
２  シート部材
４  草状体
６  プレイ面
８  起点ゾーン
１０−１〜１０−４  得点ゾーン
１２  ゴルフクラブ
１４  ゴルフボール
１６−１〜１６−４  ラッキーゾーン
１８−１〜１８−５  非得点ゾーン
２０  筒部材
２２  収納空間
２４  収納箱
２６  把手部
２８  スコアボード
３０・３２  得点欄
【図１】
0003616669.tif 000002
【図２】
0003616669.tif 000003
【図３】
0003616669.tif 000004
【図４】
0003616669.tif 000005
【図５】
0003616669.tif 000006
【図６】
0003616669.tif 000007
【図７】
0003616669.tif 000008
【図８】
0003616669.tif 000009